(57)【特許請求の範囲】
【請求項１】
周囲に立ち上がり壁を立ち上げると共に立ち上がり壁の上部に壁パネル載置縁やドア載置縁を設けた防水床パンにおいて、ドア載置縁と立ち上がり壁を切欠して切欠部を設けると共にこの切欠部を防水床パンの平坦面である底面に至るように切欠し、水平なドア枠支持面と、ドア枠支持面より段落ちした重合面と、垂直な取り付け面と、端部に立ち上げた端壁部とを一体に設けてドア受けを形成し、このドア受けのドア枠支持面が防水床パンの底面と面一になるようにドア受けを切欠部に配置し、ドア受けの重合面を切欠部の近傍で防水床パンの下面に沿わせ、ドア受けの取り付け面を防水床パンの下面のリブに沿わせると共にリブと取り付け面との間に固着具を締結して固着し、切欠部の端部でドア受けの端壁部を切欠部の端部の立ち上がり壁及び載置縁に沿うように嵌合すると共に載置縁から端部壁に固着具を打入して固着して成ることを特徴とするユニットルーム。
【請求項２】
切欠部はドア横小壁を設置する部分を残して切欠したことを特徴とする請求項１記載のユニットルーム。
【請求項３】
ドア横小壁を平面断面略コ字状にして異なる場所への取り付けにも対応可能にしたことを特徴とする請求項２記載のユニットルーム。
【発明の詳細な説明】
【０００１】
【発明の属する技術分野】
本発明は浴室ユニットのようなユニットルームに関し、詳しくはユニットルームにドアを設けて出入り口とする部分の構造に関するものである。
【０００２】
【従来の技術】
一般に浴室ユニットのようなユニットルームの防水床パン１は図２１に示すように周縁に立ち上がり壁２を設け、立ち上がり壁２の上部に載置縁３を設けて形成されている。図２１の例の場合、防水床パン１に一体に浴槽４が設けられている。また図２１の例の防水床パン１の場合、周縁に亙って同じ高さの立ち上がり壁２と載置縁３が設けられており、図２１の符号ａ，ｂ，ｃ，ｄのどの箇所の載置縁３もドア載置縁としてドアを設置できるようになっており、ドア載置縁以外の部分が壁パネル載置縁となっている。そして壁パネルの下端を壁パネル載置縁に載置して壁パネルを立設してあり、図２２に示すように出入り口１１ではドア載置縁にドア枠５を立設すると共にドア枠５にドア６を開閉自在に取り付けてある。
【０００３】
【発明が解決しようとする課題】
ところが、上記従来例にあっては、防水性を確保するためにドア載置縁と防水床パン１の平坦な床面との間に段差ｅがあり、出入り口に段差ができて出入りがしにくいという問題がある。
【０００４】
ところが、近年、出入り口１１に段差の少ないバリアーフリータイプの需要が増加してきたが、この場合防水床パンとして出入り口の部分のドア載置縁の低いものを新たに形成しなければならない。しかし、このような特別な防水床パンを形成する場合、新たな金型投資を必要とするという問題がある。また建物によって出入り口を設ける位置は種々異なってドア載置縁を設ける位置が異なり、多数の種類の防水床パンを形成しなければならなく、この点でも金型投資が増えると共に品種も増えるという問題がある。
【０００５】
本発明は上記の点に鑑みてなされたものであり、新規の防水床パンを製造するという投資をすることなく、出入り口の段差を少なくできるユニットルームを提供することを課題とするものである。
【０００６】
【課題を解決するための手段】
上記課題を解決するための本発明の請求項１のユニットルームは、周囲に立ち上がり壁２を立ち上げると共に立ち上がり壁２の上部に壁パネル載置縁やドア載置縁を設けた防水床パン１において、ドア載置縁と立ち上がり壁２を切欠して切欠部７を設けると共にこの切欠部７を防水床パン１の平坦面である底面に至るように切欠し、水平なドア枠支持面８ａと、ドア枠支持面８ａより段落ちした重合面８ｂと、垂直な取り付け面８ｃと、端部に立ち上げた端壁部８ｄとを一体に設けてドア受け８を形成し、このドア受け８のドア枠支持面８ａが防水床パン１の底面と面一になるようにドア受け８を切欠部７に配置し、ドア受け８の重合面８ｂを切欠部７の近傍で防水床パン１の下面に沿わせ、ドア受け８の取り付け面８ｃを防水床パン１の下面のリブ１５に沿わせると共にリブ１５と取り付け面８ｃとの間に固着具１６を締結して固着し、切欠部７の端部でドア受け８の端壁部８ｄを切欠部７の端部の立ち上がり壁２及び載置縁３に沿うように嵌合すると共に載置縁３から端部壁８ｄに固着具１７を打入して固着して成ることを特徴とする。従来と同じ防水床パン１を用いて切欠部７を形成することで高さの低い位置にドア受け８を取り付けて出入り口１１の段差を少なくできる。このために新たな金型投資をすることなく、出入り口１１の段差の少ないユニットルームを施工できる。また切欠部７を防水床パン１の平坦部まで設けたことで、平坦部まで切欠して切欠部７を形成することで切欠する加工がしやすい。またドア受け８を取り付けてドア受け８の上にドア枠５を立設できる。
【０００８】
また本発明の請求項２のユニットルームは、請求項１において、切欠部７はドア横小壁９を設置する部分を残して切欠したことを特徴とする。ドア横小壁９を設置する部分を残して切欠するために切欠加工がしやすい。
【００１０】
また本発明の請求項３のユニットルームは、請求項２において、ドア横小壁９を平面断面略コ字状にして異なる場所への取り付けにも対応可能にしたことを特徴とする。ドア枠５の左右のいずれの位置にもドア横小壁９を取り付けることができる。
【００１１】
【発明の実施の形態】
本発明のユニットルームに用いる防水床パン１は従来例と同じものであり、図２１に示すような構造に形成されており、ユニットルームを施工するとき防水床パン１の必要な箇所に次のような加工を施す。周縁の載置縁３のうち出入り口１１を設ける部分がドア載置縁となっており、ドア載置縁以外の部分が壁パネル載置縁となっている。ドア載置縁の上にはドア６等が設置され、壁パネル載置縁の上には壁パネルの下端が載置されて壁パネルが立設されるようになっている。そしてこの載置縁３のドア載置縁に対応する箇所でドア載置縁と立ち上がり壁２とに切欠加工して図１、図２に示すように切欠部７を設けてある。本例の場合、切欠部７を形成するとき防水床パン１の平坦部である底面まで切欠してあり、切欠加工がしやすい。また切欠部７を形成するとき防水床パン１のコーナ部まで切欠していなく、ドア横小壁９を載置するための小壁載置部１０を残してある。このように小壁載置部１０を残すように切欠部７を形成することでも切欠部７の切欠加工がしやすくなる。また本例でドア載置縁の部分を切欠して切欠部７を形成するのは図２１の符号ａまたは符号ｂに示す部分であり、出入り口１１を設ける部分が図６（ａ）または図６（ｂ）に示す部分である。
【００１２】
この切欠部７を設けた部分に設けるドア受け８は図３に示すような左右対称に形成されるものであり、水平なドア枠支持面８ａ、ドア枠支持面８ａより段落ちした重合面８ｂ、垂直な取り付け面８ｃを有しており、左右の両端には端壁部８ｄを立ち上げてある。このドア受け８の裏側には図４に示すような鉄板等の補強板１２と補強アングル１３を裏打ちすると共に鉄板等の補強板１４も裏打ちして補強してある。このドア受け８は図５、図７に示すように切欠部７に配置されて取り付けられる。このときドア受け８のドア枠支持面８ａが切欠部７に防水床パン１の底面と面一になるように配置され、重合面８ｂは切欠部７の縁部の近傍で防水床パン１の下面に沿わせられ、取り付け面８ｃは防水床パン１の下面のリブ１５に沿わせられ、リブ１５と補強アングル１３と取り付け面８ｃとの間にボルト・ナットのような固着具１６を締結して固着される。切欠部７の両端でドア受け８の端壁部８ｄは切欠部７の両端の立ち上がり壁２及び載置縁３に沿うように嵌合され、載置縁３から端壁部８ｄに固着具１７が打入されて固着される。このとき、ドア枠支持面８ａと切欠部７縁との間にはシリコンコーキングのようなコーキング材２４が充填されてシールされる。
【００１３】
ドア枠５は図８に示すように上枠５ａと両側の側枠５ｂと下枠５ｃとで矩形枠状に形成されており、下枠５ｃをドア受け８に載置するようにドア枠５をドア受け８上に立設してある。ドア枠５にはドア６を開閉自在に装着してあり、ドア枠５の上枠５ａの上にはドア上壁１８を装着してある。図８で１９は天井パネル、２０は建物躯体の壁２１に設けた開口部、２３は開口部２０の内周に沿って設けた開口枠である。また下枠５ｃには水止め部材２５を上下に揺動自在に装着してあり、ドア６を閉じたとき水止め部材２５が上に起きて水が流れるのを阻止するようになっており、ドア６を開いたとき水止め部材２５が倒れて通行の邪魔にならないようになっている。
【００１４】
上記のように切欠部７にドア受け８を取り付けているが、ドア受け８が別部材であるためにドア受け８を防水床パン１と別の色にすることにより、デザイン面を向上できる。また切欠部７を設けるとき小壁載置部１０を残しているために図６（ａ）（ｂ）に示すように対称位置に出入り口１１を設ける場合でも同一のドア受け８を使用することが可能である。また上記のようにドア枠５を取り付けた状態で図９の符号ｆ，ｈに示す部分では立ち上がり壁２の縁部とドア枠５の側枠５ｂとの間にシリコンコーキングのようなコーキング材２４を充填してシールする。図９で９はドア横小壁、２６は載置縁３の壁パネル載置縁の上に下端を載置して立設した壁パネルである。上記ドア横小壁９は後述のように平面断面略コ字状になっており、図６（ａ）のように出入り口１１を設ける場合も図６（ｂ）のように出入り口１１を設ける場合も、ドア枠５に対して左右を変えるだけで同じドア横小壁９を兼用して取り付けることができ、ドア横小壁９をそれに対応した小壁載置部１０に載置して支持できるようになっている。
【００１５】
次に図１０乃至図１９に示す実施の形態の例について述べる。上記例では図２１のａまたはｂに示す箇所に切欠部７を設けてドア受け８を取り付けるものについて述べたが、本例は図２１のｃまたはｄに示す箇所に切欠部７を設けてドア受け８を取り付けるものである。本例の場合もドア載置縁に対応する箇所に図１０、図１１に示すように切欠部７を設けてあるが、防水床パン１のコーナ部まで切欠加工してある。つまり、防水床パン１のコーナ部の壁パネル載置縁まで載置縁３及び立ち上がり壁２を切欠してある。
【００１６】
この切欠部１１を設けた部分に設けるドア受け８は図１２に示すように形成されるものであり、水平なドア枠支持面８ａ、ドア枠支持面８ａより段落ちした重合面８ｂ、垂直な取り付け面８ｃを有しており、左右の両端のうち一方の端部には端壁部８ｄを立ち上げてあり、他方の端部にはコーナ壁部８ｅを立ち上げてある。このコーナ壁部８ｅはコーナ用立ち上がり壁２７やコーナ用載置縁２８を有し、防水床パン１の立ち上がり壁２や載置縁３と同じ断面形状になっている。このドア受け８の裏側には補強アングル１３や補強木２９，３０等を裏打ちして補強してある。このドア受け８は図１３、図１４に示すように切欠部７に配置されて取り付けられる。このときドア受け８のドア枠支持面８ａが切欠部７に防水床パン１の底面と面一になるように配置され、重合面８ｂは切欠部７の縁部の近傍で防水床パン１の下面に沿わせられ、取り付け面８ｃは防水床パン１の下面のリブ１５に沿わせられ、リブ１５と補強アングル１３と取り付け面８ｃとの間にボルト・ナットのような固着具１６を締結して固着される。切欠部７のコーナ側と反対の端部でドア受け８の端壁部８ｄは切欠部７の立ち上がり壁２及び載置縁３に沿うように嵌合され、載置縁３から端壁部８ｄに固着具１７が打入されて固着される。このとき、ドア枠支持面８ａと切欠部７縁との間にはシリコンコーキングのようなコーキング材２４が充填されてシールされる。また切欠部７のコーナ側の端部ではコーナ壁部８ｅが配置され、図１５に示すようにコーナ用立ち上がり壁２７の端縁と立ち上がり壁２の切欠部７側の端縁とが突き合わせられると共にコーナ用載置縁２８の端縁と載置縁３の切欠部７側の端縁とが突き合わせられる。このようにすると、図１５の符号ｉ部分で切欠部７の小口が見えることがなくなり外観よく施工される。
【００１７】
ドア枠５は図１８に示すように上枠５ａと両側の側枠５ｂと下枠５ｃとで矩形枠状に形成されており、下枠５ｃをドア受け８に載置するようにドア枠５をドア受け８上に立設してある。ドア枠５の上枠５ａの上にはドア上壁１８を装着してある。防水床パン１の載置縁３の壁パネル載置縁の上には壁パネル２６の下端を載置して壁パネル２６を立設してあり、浴槽４の回りでも壁パネル２６′を立設してある。小壁載置部１０の上にはドア横小壁９を立設してあり、ドア横小壁９にドア枠５の一方の側枠５ｂを連結してあり、ドア横小壁９と壁パネル２６′とを結合してある。ドア枠５の他方の側枠５ｂと壁パネル２６とはドア固定用アングル３１を介して連結してある。
【００１８】
ドア横小壁９は図１６に示すようにウェッブ１６ａと両側のフランジ１６ｂとで断面コ字状に形成されるもので、アルミニウム等を押し出し成形することで形成されている。ドア横小壁９の両側のフランジ１６ｂには夫々取り付け孔３２を穿孔してあり、図１７に示すように取り付け孔３２にてドア枠５の側枠５ｂや壁パネル２６′に連結してある。このようにドア横小壁９が断面コ字状で左右対称に形成してあると、ドア枠５の左右両側の側枠５ｂにドア横小壁９を取り付けることができ、図２０（ａ）のように出入り口１１を設ける場合も図２０（ｂ）のように出入り口１１を設ける場合も共通のドア横小壁９を兼用して施工することができる。またこのドア横小壁９を設ける部分で、図１９の符号ｊに示す部分では立ち上がり片２の縁部とドア枠５の側枠５ｂとの間にシリコンコーキングのようなコーキング材２４を充填してシールする。
【００１９】
【発明の効果】
本発明は、周囲に立ち上がり壁を立ち上げると共に立ち上がり壁の上部に壁パネル載置縁やドア載置縁を設けた防水床パンにおいて、ドア載置縁と立ち上がり壁を切欠して切欠部を設けると共にその切欠部にドア受けを取り付けたので、従来と同じ防水床パンを用いて切欠部を形成することで高さの低い位置にドア受けを取り付けて出入り口の段差を少なくできるものであって、新たな金型投資をしたりする必要なく出入り口の段差の少ないユニットルームを施工できるものである。また切欠部を防水床パンの平坦部まで設けたので、平坦部まで切欠して切欠部を形成することで切欠する加工がしやすいものである。また水平なドア枠支持面と、ドア枠支持面より段落ちした重合面と、垂直な取り付け面と、端部に立ち上げた端壁部とを一体に設けてドア受けを形成し、このドア受けのドア枠支持面が防水床パンの底面と面一になるようにドア受けを切欠部に配置し、ドア受けの重合面を切欠部の近傍で防水床パンの下面に沿わせ、ドア受けの取り付け面を防水床パンの下面のリブに沿わせると共にリブと取り付け面との間に固着具を締結して固着し、切欠部の端部でドア受けの端壁部を切欠部の端部の立ち上がり壁及び載置縁に沿うように嵌合すると共に載置縁から端部壁に固着具を打入して固着したので、切欠部にドア受けを取り付けてドア受けの上にドア枠を立設できる。
【図面の簡単な説明】
【図１】本発明の実施の形態の一例の切欠部を設けた状態で、（ａ）は斜視図、（ｂ）は一部切欠平面図である。
【図２】同上の切欠部を設けた防水床パンを示し、（ａ）は防水床パンの底面図、（ｂ）は（ａ）のＡ−Ａ線断面図である。
【図３】同上のドア受けを示し、（ａ）は平面図、（ｂ）は正面図、（ｃ）は（ａ）のＢ−Ｂ線断面図である。
【図４】同上の補強板と補強アングルを示し、（ａ）は平面図、（ｂ）は正面図、（ｃ）は側面図である。
【図５】同上の防水床パンにドア受けを取り付けた状態を示し、（ａ）は平面図、（ｂ）は正面図である。
【図６】（ａ）（ｂ）は同上の出入り口を設ける位置を説明する説明図である。
【図７】図５（ａ）のＣ−Ｃ線断面図である。
【図８】同上のドアを取り付けた状態の縦断面図である。
【図９】同上のドア枠との間のシールする部分の斜視図である。
【図１０】同上の実施の形態の他の例の切欠部を示す斜視図である。
【図１１】同上の切欠部を設けた防水床パンを示し、（ａ）は防水床パンの底面図、（ｂ）は（ａ）のＤ−Ｄ線断面図である。
【図１２】同上のドア受けを示し、（ａ）は平面図、（ｂ）は正面図、（ｃ）は（ｂ）のＥ−Ｅ線断面図、（ｄ）は（ｂ）のＦ−Ｆ線断面図である。
【図１３】同上の防水床パンにドア受けを取り付けた状態を示し、（ａ）は平面図、（ｂ）は正面図である。
【図１４】図１３（ａ）のＧ−Ｇ線断面図である。
【図１５】同上の防水床パンにドア受けを取り付けた状態の斜視図である。
【図１６】同上のドア横小壁を示し，（ａ）は正面図、（ｂ）は平面図、（ｃ）は（ｂ）のＨ−Ｈ線断面図である。
【図１７】同上のドア横下壁を取り付けた部分の横断面図である。
【図１８】同上のドア枠や壁パネルの取り付け状態を示す分解斜視図である。
【図１９】同上のドア枠との間のシールする部分の斜視図である。
【図２０】（ａ）（ｂ）は同上の出入り口を設ける位置を説明する説明図である。
【図２１】従来の防水床パンを示し，（ａ）は平面図、（ｂ）は（ａ）のＪ−Ｊ線断面図、（ｃ）は（ａ）のＫ−Ｋ線断面図である。
【図２２】従来例のドアの取り付け状態の縦断面図である。
【符号の説明】
１  防水床パン
２  立ち上がり壁
３  載置縁
７  切欠部
８  ドア受け
９  ドア横小壁
【図１】
0003546730.tif 000002
【図２】
0003546730.tif 000003
【図３】
0003546730.tif 000004
【図４】
0003546730.tif 000005
【図５】
0003546730.tif 000006
【図６】
0003546730.tif 000007
【図７】
0003546730.tif 000008
【図８】
0003546730.tif 000009
【図９】
0003546730.tif 000010
【図１０】
0003546730.tif 000011
【図１１】
0003546730.tif 000012
【図１２】
0003546730.tif 000013
【図１３】
0003546730.tif 000014
【図１４】
0003546730.tif 000015
【図１５】
0003546730.tif 000016
【図１６】
0003546730.tif 000017
【図１７】
0003546730.tif 000018
【図１８】
0003546730.tif 000019
【図１９】
0003546730.tif 000020
【図２０】
0003546730.tif 000021
【図２１】
0003546730.tif 000022
【図２２】
0003546730.tif 000023